【手続補正書】
【提出日】平成19年4月6日(2007.4.6)
【手続補正１】
【補正対象書類名】明細書
【補正対象項目名】特許請求の範囲
【補正方法】変更
【補正の内容】
【特許請求の範囲】
【請求項１】
印刷媒体上に湿式染料で印刷し所定の真空力を発生する真空発生機構を備えているハードコピー機構の真空把持具のためのプラテン表面構造であって、
前記真空把持具はプラテンを有し、
前記プラテンは前記印刷媒体をその上に受ける第１の表面を有し、前記第１の表面は、所定の第１の対称軸方向に所定の幅寸法を有し、前記第１の表面は平行に別々に設けられた複数の真空溝を有し、前記複数の真空溝の各々が前記第１の対称軸にほぼ平行で、隣接する前記真空溝がほぼ同一の所定の溝形状及び溝寸法を有し、
前記真空溝の各々はそれに関連して、前記真空溝の各々をそれぞれ前記真空発生機構に流体的に結合させる少なくとも一つの真空ポートを備え、プラテン表面構造リブによって、前記真空溝の各々はそれらに隣接する前記真空溝から分離されており、前記プラテン表面構造リブの各々が前記第１の対称軸にほぼ平行であることで、前記プラテン表面構造リブが印刷媒体受け面を形成するようになっており、
前記プラテン表面構造リブは所定のリブ形状及びリブ寸法を有し、前記真空溝は前記所定の溝形状及び溝寸法を備え、このことによって、前記真空力は、前記真空溝により分配され、前記プラテン表面構造リブ上に受けられて前記真空溝を跨いでいる印刷媒体の領域に加えられて、前記印刷媒体を前記プラテンの前記第１の表面に保持するようになっており、前記第１の表面は、前記プラテン上に前縁及び後縁プラテン装置を与えることを特徴とするプラテン表面構造。
【請求項２】  
前記プラテン表面構造が、前記ハードコピー機構により前記印刷媒体に染着された前記湿式染料を、前記真空溝で分配されて前記プラテン表面構造リブの間の前記印刷媒体に加えられる前記真空力により、前記印刷媒体内にほぼ再染着されることがないようにした表面幾何学構造を有することを特徴とする請求項１に記載のプラテン表面構造。
【請求項３】  
前記プラテン表面構造が前記複数の溝を有するように設けられ、前記溝の各々は、前記第１の対称軸にほぼ平行な長軸と、前記長軸に垂直で印刷媒体受け軸に平行な溝短軸とを有することを特徴とする請求項１に記載のプラテン表面構造。
【請求項４】
前記真空溝の各々は複数の前記真空ポートを有し、前記真空ポートの各々は前記真空溝の各々と前記真空発生機構との間にそれぞれ弁機構を設け、所定の印刷媒体幅に関連して前記真空溝の各々の中のその場所に前記長軸に沿って前記真空ポートは分布され、このことによって、前記ハードコピー機構によって前記印刷媒体上に染着される湿式染料を、前記真空ポートを通り前記真空溝で分配されて前記印刷媒体に加えられる前記真空力により、前記印刷媒体内にほぼ再染着されることがないことを特徴とする請求項３に記載のプラテン表面構造。
【請求項５】
前記プラテン表面構造は、前記第１の対称軸にほぼ垂直な媒体受け軸としての第２の対称軸を有し、
前記プラテン表面構造は、前記第１の対称軸に沿って別個の溝区画で設けられるため、前記真空溝は、前記区画の各々の複数のグループで分配されるように設けられ、
前記グループ内の前記真空溝の各々は、前記第１の対称軸にほぼ平行でそれより短い溝長軸と、前記印刷媒体受け軸に平行で前記溝長軸と垂直な溝短軸とを有することを特徴とする請求項１に記載のプラテン表面構造。
【請求項６】
前記別個の溝区画の各々は、前記第１の対称軸で前記プラテン表面構造を横断して別々に設けられ、印刷媒体の幅寸法の所定の変形に関連する前記プラテン上の第１の対称軸の区画の幅寸法及び配置を有することを特徴とする請求項５に記載のプラテン表面構造。
【請求項７】  
真空Ｆｖを発生する手段を有するインクジェット装置のための真空プラテン装置であって、
プラテン外面及びプラテン内面を有するプラテンを備え、印刷媒体のシートは所定の媒体供給方向から前記プラテン外面に連続して配給されるようになっており、前記プラテンは、前記所定の媒体供給方向に垂直な第１の軸、及び前記所定の媒体供給方向に平行な第２の軸を有し、
前記プラテン外面が、前記プラテン外面内の真空溝の繰り返しパターンを有するプラテン外面構造を有し、前記真空溝の各々が、前記第１の軸にほぼ平行な溝長軸と前記第２の軸にほぼ平行な溝短軸とを有しており、
前記プラテン外面構造がプラテン表面構造リブを有し、前記プラテン表面構造リブの各々が一対の前記真空溝を分離しており、前記プラテン表面構造リブが、前記第１の軸にほぼ平行なリブ長軸と前記第２の軸にほぼ平行なリブ短軸とを有しており、
前記真空溝の各々が、前記プラテン外面から前記プラテン内面まで少なくとも一つの真空ポートを有して、前記真空溝の各々を前記真空発生手段にそれぞれ流体的に結合し、前記プラテン表面構造リブは所定のリブ形状及びリブ寸法を有し、前記真空溝は所定の溝形状及び溝寸法を有し、このことによって、前記真空力は、前記真空溝で分配されて前記プラテン表面構造リブ上に受け取られ前記真空溝を跨いでいる前記印刷媒体の領域に加えられ、前記印刷媒体を前記プラテン外面に保持し、前記プラテンが前記印刷媒体の前縁及び前記印刷媒体の後縁プラテン装置をさらに与えることを特徴とする真空プラテン装置。
【請求項８】  
所定の真空力Ｆｖを発生する機構を有するインクジェット・ハードコピー装置において、
ハウジングと、
前記ハウジングに取付けられた、インクジェット印刷するための手段と、
前記ハウジングに取付けられた、カットシート印刷媒体を保持するための手段と、
前記ハウジング内に取付けられ且つ前記カットシート印刷媒体を保持するための手段に連動して、前記カットシート印刷媒体を保持するための手段から、前記インクジェット印刷するための手段に隣接する印刷ステーションまで、個別カットシート印刷媒体を連続して移送するための真空ドラム手段とを備え、
前記真空ドラム手段は、所定の長手方向回転軸と所定の軸方向長さとを有しており、前記真空力を発生するための前記機構に流体的に結合した真空室を形成する内面及び前記カットシート印刷媒体を保持する手段に隣接する外面を備えており、前記カットシート印刷媒体を保持する手段から個別媒体シートを連続して受けるための円筒形プラテンを形成し、前記外面が前記外面を横断する複数の真空溝を備え、前記真空溝の各々が、それぞれの前記真空溝の内部から前記内面まで延長する少なくとも１つの真空ポートを備えており、このことによって、前記所定の真空力が前記真空溝の各々に結合されて前記円筒形プラテンを横断して分配され、前記真空溝の各々が、前記長手方向回転軸に平行な所定の溝長さ及び所定の円周方向溝幅を有しており、前記溝長さが、前記真空ドラム手段の前記所定の軸方向長さにほぼ等しいか又はそれより短く、前記円周方向溝幅が所定の寸法より短く、前記真空溝の各々により分配される前記真空力が前記印刷媒体の前縁及び後縁の把持具を設けることを特徴とするインクジェット・ハードコピー装置。
【請求項９】  
前記真空溝の各々により分配される真空流が、前記真空溝の各々を跨ぐ前記カットシートを固定するための値より大きいか又は等しく、前記真空溝の各々を跨ぐ前記カットシート上に前記インクジェット印刷するための手段により染着される湿式染料の再染着を生ずる値より小さい値であることを特徴とする請求項８に記載のインクジェット・ハードコピー装置。
【請求項１０】
既知の真空力を使用して湿式印刷動作中に印刷媒体を把持する方法において、
前記印刷媒体の前縁及び後縁の把持域を固定するために、所定の幾何学的構成に従って方向、形状、及びプラテンを横断する寸法の真空溝を有する印刷媒体プラテン表面構造を有するプラテンを用意するステップと、
前記印刷媒体を前記プラテンに供給するステップと、
印刷中、前記真空溝により分配される前記真空力を用いて印刷媒体を前記プラテンに保持するステップとを含み、
前記所定の幾何学的構成が、既知の染料の組織及び既知の印刷媒体の組織に基づく染料の流動特性の関数によって決定されることで、前記印刷媒体の毛管作用により湿式染料を引き出す既知の前記真空力により印刷中に人為的影響が生じないことを特徴とする方法。